(57)【要約】      （修正有）【課題】記録媒体に記録されたデータを他の記録媒体にデータ転送する際の作業負担を十分に軽減できるデータ転送装置及びデータ転送システムを提供する。【解決手段】第１の記録媒体に記録された複数の画像ファイルを複数のグループに分類して管理する管理手段と、前記複数のグループのうち、第２の記録媒体のグループに対応するグループを決定する決定手段と、前記記録媒体に記録された複数の画像ファイルより、前記決定手段により決定されたグループに分類されている画像ファイルを検索する検索手段と、前記検索手段により検索された画像ファイルの情報を表示部に表示する表示制御手段と、前記第２の記録媒体に情報データを記録する記録装置に対し、前記第１の記録媒体に記録された複数の画像ファイルのうち選択された画像ファイルを前記第２の記録媒体に転送する手段とを備えた。【選択図】図１
2008148073.tif 000002
【特許請求の範囲】
【請求項１】
複数の画像ファイルを第１の記録媒体に対して記録する記録手段と、
前記第１の記録媒体に記録された複数の画像ファイルを複数のグループに分類して管理する管理手段と、
前記複数のグループのうちの何れかのグループを第２の記録媒体のグループとして付加する付加手段と、
前記複数のグループのうち、前記第２の記録媒体のグループに対応するグループを決定する決定手段と、
前記記録媒体に記録された複数の画像ファイルより、前記決定手段により決定されたグループに分類されている画像ファイルを検索する検索手段と、
前記検索手段により検索された画像ファイルの情報を表示部に表示する表示制御手段と、
前記第２の記録媒体に情報データを記録する記録装置に対し、前記第１の記録媒体に記録された複数の画像ファイルのうち選択された画像ファイルを前記第２の記録媒体に記録すべく転送する転送手段と、
を備えたことを特徴とするデータ転送装置。
【請求項２】
前記第２の記録媒体の識別情報を取得する取得手段を備え、
前記決定手段は、前記複数のグループにおけるいずれかのグループの情報と、前記第２の記録媒体の識別情報とを対応付けた対応付け情報を保持する保持手段を有し、前記保持手段に保持された対応付け情報を参照して、前記第２の記録媒体のグループに対応するグループを決定する
ことを特徴とする請求項１に記載のデータ転送装置。
【請求項３】
前記付加手段は、前記第２の記録媒体の識別情報についての前記対応付け情報が前記保持手段に保持されていない場合、前記転送手段により転送される画像ファイルが属するグループを前記第２の記録媒体の識別情報に対応付けて前記保持手段に保持させる
ことを特徴とする請求項２に記載のデータ転送装置。
【請求項４】
前記転送手段は、前記記録装置と通信し、前記付加手段により付加されたグループの情報を前記第２の記録媒体のグループ情報として前記第２の記録媒体に記録させる通信手段を有する
ことを特徴とする請求項１から３のいずれか１項に記載のデータ転送装置。
【請求項５】
前記取得手段は、前記記録装置と通信し、前記記録装置より前記第２の記録媒体の識別情報を受信することにより前記第２の記録媒体の識別情報を取得する
ことを特徴とする請求項２記載のデータ転送装置。
【請求項６】
前記複数のグループにおけるいずれかのグループを選択するための指示を受け付ける選択手段をさらに備え、
前記転送手段は、前記選択手段により受け付けられた指示が示すグループの画像ファイルを転送する
ことを特徴とする請求項１に記載のデータ転送装置。
【請求項７】
前記付加手段は、前記転送手段が前記グループが付加されていない前記第２の記録媒体に対して前記第１の記録媒体に記録された画像ファイルを転送したことに応じて、前記転送された画像ファイルを含むグループを前記第２の記録媒体のグループとして付加する
ことを特徴とする請求項１記載のデータ転送装置。
【請求項８】
前記第２の記録媒体に付加されたグループ情報を取得する取得手段をさらに備え、
前記決定手段は、前記取得手段により取得された前記第２の記録媒体のグループ情報に基づいて前記複数のグループのうち、前記第２の記録媒体のグループに対応するグループを決定する
ことを特徴とする請求項１記載のデータ転送装置。
【請求項９】
複数の画像ファイルを第１の記録媒体に記録する記録手段と、
第２の記録媒体の空き容量を検出する検出手段と、
前記第１の記録媒体に記録された画像ファイルのうち、前記検出手段により検出された空き容量以下のデータサイズを有する画像ファイルを検索する検索手段と、
前記検索手段により検索された画像ファイルの情報を表示部に表示する表示制御手段と、
前記第２の記録媒体に情報データを記録する記録装置に対し、前記第１の記録媒体に記録された複数の画像ファイルより選択された画像ファイルを前記第２の記録媒体に記録すべく転送する転送手段と、
を備えたことを特徴とするデータ転送装置。
【請求項１０】
前記表示部に表示された情報に対応する画像ファイルの中から画像ファイルを選択するための指示を受け付ける選択手段と、
前記選択手段により受け付けられた指示が示す画像ファイルを前記記録装置へ転送する転送手段と、
をさらに備えた
ことを特徴とする請求項９に記載のデータ転送装置。
【請求項１１】
前記表示制御手段は、前記検索手段の検索結果に基づき、前記空き容量以下のデータサイズを有する画像ファイルとそれ以外の画像ファイルとを識別可能な状態で前記画像ファイルの情報を表示する
ことを特徴とする請求項９記載のデータ転送装置。
【請求項１２】
複数の画像ファイルを記憶する記憶手段と、
外部記録装置に装着された外部記録媒体に記録されたデータ転送に関するメディア管理情報を、前記外部記録装置から取得する取得手段と、
前記取得手段により取得されたメディア管理情報に関連したファイル管理情報を有する画像ファイルを前記記憶手段から検索する検索手段と、
前記検索手段により検索された画像ファイルの情報を表示部に表示する表示制御手段と、
を備えたことを特徴とするデータ転送装置。
【請求項１３】
前記メディア管理情報は、前記外部記録媒体のタイトル及び前記外部記録媒体の空き容量の少なくとも一方を含む
ことを特徴とする請求項１２に記載のデータ転送装置。
【請求項１４】
被写体を含む画像を撮像して画像データを生成する撮像部と、
前記第１の記録媒体に記録された画像データの集まりである複数の画像ファイルを第１の記録媒体に対して記録する記録手段と、
前記複数の画像ファイルを複数のグループに分類して管理する管理手段と、
前記複数のグループのうちの何れかのグループを第２の記録媒体のグループとして付加する付加手段と、
前記複数のグループのうち、前記第２の記録媒体のグループに対応するグループを決定する決定手段と、
前記記録媒体に記録された複数の画像ファイルより、前記決定手段により決定されたグループに分類されている画像ファイルを検索する検索手段と、
前記検索手段により検索された画像ファイルの情報を表示部に表示する表示制御手段と、
前記第２の記録媒体に情報データを記録する記録装置に対し、前記第１の記録媒体に記録された複数の画像ファイルのうち選択された画像ファイルを前記第２の記録媒体に記録すべく転送する転送手段と、
を備えたことを特徴とする撮像装置。
【請求項１５】
被写体を含む画像を撮像して画像データを生成する撮像部と、
前記画像データの集まりである複数の画像ファイルを第１の記録媒体に記録する記録手段と、
第２の記録媒体の空き容量を検出する検出手段と、
前記第１の記録媒体に記録された画像ファイルのうち、前記検出手段により検出された空き容量以下のデータサイズを有する画像ファイルを検索する検索手段と、
前記検索手段により検索された画像ファイルの情報を表示部に表示する表示制御手段と、
前記第２の記録媒体に情報データを記録する記録装置に対し、前記第１の記録媒体に記録された複数の画像ファイルより選択された画像ファイルを前記第２の記録媒体に記録すべく転送する転送手段と、
を備えたことを特徴とする撮像装置。
【請求項１６】
被写体を含む画像を撮像して画像データを生成する撮像部と、
前記画像データの集まりである複数の画像ファイルを記憶する記憶手段と、
外部記録装置に装着された外部記録媒体に記録されたメディア管理情報を、前記外部記録装置から取得する取得手段と、
前記取得手段により取得されたメディア管理情報に関連したファイル管理情報を有する画像ファイルを前記記憶手段から検索する検索手段と、
前記検索手段により検索された画像ファイルの情報を表示部に表示する表示制御手段と、
を備えたことを特徴とする撮像装置。
【請求項１７】
コンピュータを、
複数の画像ファイルを第１の記録媒体に対して記録する記録手段、
前記第１の記録媒体に記録された複数の画像ファイルを複数のグループに分類して管理する管理手段、
前記複数のグループのうちの何れかのグループを第２の記録媒体のグループとして付加する付加手段、
前記複数のグループのうち、前記第２の記録媒体のグループに対応するグループを決定する決定手段、
前記記録媒体に記録された複数の画像ファイルより、前記決定手段により決定されたグループに分類されている画像ファイルを検索する検索手段、
前記検索手段により検索された画像ファイルの情報を表示部に表示する表示制御手段、
前記第２の記録媒体に情報データを記録する記録装置に対し、前記第１の記録媒体に記録された複数の画像ファイルのうち選択された画像ファイルを前記第２の記録媒体に記録すべく転送する転送手段、
として機能させるためのプログラム。
【請求項１８】
コンピュータを、
複数の画像ファイルを第１の記録媒体に記録する記録手段、
第２の記録媒体の空き容量を検出する検出手段、
前記第１の記録媒体に記録された画像ファイルのうち、前記検出手段により検出された空き容量以下のデータサイズを有する画像ファイルを検索する検索手段、
前記検索手段により検索された画像ファイルの情報を表示部に表示する表示制御手段、
前記第２の記録媒体に情報データを記録する記録装置に対し、前記第１の記録媒体に記録された複数の画像ファイルより選択された画像ファイルを前記第２の記録媒体に記録すべく転送する転送手段、
として機能させるためのプログラム。
【請求項１９】
コンピュータを、
複数の画像ファイルを記憶する記憶手段、
外部記録装置に装着された外部記録媒体に記録されたメディア管理情報を、前記外部記録装置から取得する取得手段、
前記取得手段により取得されたメディア管理情報に関連したファイル管理情報を有する画像ファイルを前記記憶手段から検索する検索手段、
前記検索手段により検索された画像ファイルの情報を表示部に表示する表示制御手段、
として機能させるためのプログラム。
【請求項２０】
データ転送装置と外部記録装置とが通信可能に接続されたデータ転送システムであって、
前記データ転送装置は、請求項１から１２のいずれか１項に記載のデータ転送装置である
ことを特徴とするデータ転送システム。
【発明の詳細な説明】
【技術分野】
【０００１】
本発明は、データ転送装置及びデータ転送システムに関する。
【背景技術】
【０００２】
近年、大容量のハードディスクドライブ（Ｈａｒｄ  Ｄｉｓｋ  Ｄｒｉｖｅ、以下、ＨＤＤとする）を内蔵するビデオカメラが登場している。このようなビデオカメラにおいて、内蔵ＨＤＤは、画像（映像）データの一時的な蓄積媒体として使用されることが多い。内蔵ＨＤＤの記録容量が大きくなると、内蔵ＨＤＤに蓄積される画像ファイルの数が多くなる傾向にある。
【０００３】
それに対して、内蔵ＨＤＤに記録されたコンテンツごと（画像ファイルごと）のコンテンツ情報（例えば、タイトル）を表示することにより、コンテンツ（画像ファイル）の検索性を向上する技術が提案されている（例えば特許文献１参照）。
【特許文献１】特開平２００３−３２５８２号公報
【発明の開示】
【発明が解決しようとする課題】
【０００４】
一方、内蔵ＨＤＤに記録されたデータには、長期保存したい画像データや、バックアップしたい画像データが含まれることがある。長期保存したい画像データ（画像ファイル）や、バックアップしたい画像データ（画像ファイル）は、内蔵ＨＤＤからＤＶＤ（Ｄｉｇｉｔａｌ  Ｖｅｒｓａｔｉｌｅ  Ｄｉｓｋ）などの外部記録媒体へデータ転送されることがある。ここで、通常、内蔵ＨＤＤの記録容量は、外部記録媒体の記録容量に比べて大きい傾向にある。これにより、内蔵ＨＤＤには、多様な内容の画像ファイルが記録される傾向にある。
【０００５】
このため、内容的に関連性が希薄な画像ファイルが混在して外部記録媒体へデータ転送されることがあり、データ転送後のファイル整理の手間が十分に軽減しないおそれがある。
【０００６】
それに対して、データ転送後のファイル整理の手間を省くためには、内容的に関連性が深い画像ファイルをまとめて外部記録媒体へデータ転送する必要がある。しかし、特許文献１に示す技術では、画像ファイルのコンテンツ情報（例えば、タイトル）が画像ファイルごとに異なる傾向にあり、内容的に関連性が深い画像ファイルを検索しにくくなることがある。これにより、データ転送前のファイル検索の手間が十分に軽減しないおそれがある。
【０００７】
あるいは、データ転送先である外部記録媒体の記録可能容量（残容量）を考慮して映像データを選択してデータ転送する必要があり、外部記録媒体にデータ転送する際の作業負担が増大するおそれがある。
【０００８】
本発明の目的は、記録媒体に記録されたデータを他の記録媒体にデータ転送する際の作業負担を十分に軽減できるデータ転送装置及びデータ転送システムを提供することにある。
【課題を解決するための手段】
【０００９】
本発明の第１側面に係るデータ転送装置は、複数の画像ファイルを第１の記録媒体に対して記録する記録手段と、前記第１の記録媒体に記録された複数の画像ファイルを複数のグループに分類して管理する管理手段と、前記複数のグループのうちの何れかのグループを第２の記録媒体のグループとして付加する付加手段と、前記複数のグループのうち、前記第２の記録媒体のグループに対応するグループを決定する決定手段と、前記記録媒体に記録された複数の画像ファイルより、前記決定手段により決定されたグループに分類されている画像ファイルを検索する検索手段と、前記検索手段により検索された画像ファイルの情報を表示部に表示する表示制御手段と、前記第２の記録媒体に情報データを記録する記録装置に対し、前記第１の記録媒体に記録された複数の画像ファイルのうち選択された画像ファイルを前記第２の記録媒体に記録すべく転送する転送手段とを備えたことを特徴とする。
【００１０】
本発明の第２側面に係るデータ転送装置は、複数の画像ファイルを第１の記録媒体に記録する記録手段と、第２の記録媒体の空き容量を検出する検出手段と、前記第１の記録媒体に記録された画像ファイルのうち、前記検出手段により検出された空き容量以下のデータサイズを有する画像ファイルを検索する検索手段と、前記検索手段により検索された画像ファイルの情報を表示部に表示する表示制御手段と、前記第２の記録媒体に情報データを記録する記録装置に対し、前記第１の記録媒体に記録された複数の画像ファイルより選択された画像ファイルを前記第２の記録媒体に記録すべく転送する転送手段とを備えたことを特徴とする。
【００１１】
本発明の第３側面に係るデータ転送装置は、複数の画像ファイルを記憶する記憶手段と、外部記録装置に装着された外部記録媒体に記録されたデータ転送に関するメディア管理情報を、前記外部記録装置から取得する取得手段と、前記取得手段により取得されたメディア管理情報に関連したファイル管理情報を有する画像ファイルを前記記憶手段から検索する検索手段と、前記検索手段により検索された画像ファイルの情報を表示部に表示する表示制御手段とを備えたことを特徴とする。
【００１２】
本発明の第４側面に係る撮像装置は、被写体を含む画像を撮像して画像データを生成する撮像部と、前記第１の記録媒体に記録された画像データの集まりである複数の画像ファイルを第１の記録媒体に対して記録する記録手段と、前記複数の画像ファイルを複数のグループに分類して管理する管理手段と、前記複数のグループのうちの何れかのグループを第２の記録媒体のグループとして付加する付加手段と、前記複数のグループのうち、前記第２の記録媒体のグループに対応するグループを決定する決定手段と、前記記録媒体に記録された複数の画像ファイルより、前記決定手段により決定されたグループに分類されている画像ファイルを検索する検索手段と、前記検索手段により検索された画像ファイルの情報を表示部に表示する表示制御手段と、前記第２の記録媒体に情報データを記録する記録装置に対し、前記第１の記録媒体に記録された複数の画像ファイルのうち選択された画像ファイルを前記第２の記録媒体に記録すべく転送する転送手段とを備えたことを特徴とする。
【００１３】
本発明の第５側面に係る撮像装置は、被写体を含む画像を撮像して画像データを生成する撮像部と、前記画像データの集まりである複数の画像ファイルを第１の記録媒体に記録する記録手段と、第２の記録媒体の空き容量を検出する検出手段と、前記第１の記録媒体に記録された画像ファイルのうち、前記検出手段により検出された空き容量以下のデータサイズを有する画像ファイルを検索する検索手段と、前記検索手段により検索された画像ファイルの情報を表示部に表示する表示制御手段と、前記第２の記録媒体に情報データを記録する記録装置に対し、前記第１の記録媒体に記録された複数の画像ファイルより選択された画像ファイルを前記第２の記録媒体に記録すべく転送する転送手段とを備えたことを特徴とする。
【００１４】
本発明の第６側面に係る撮像装置は、被写体を含む画像を撮像して画像データを生成する撮像部と、前記画像データの集まりである複数の画像ファイルを記憶する記憶手段と、外部記録装置に装着された外部記録媒体に記録されたメディア管理情報を、前記外部記録装置から取得する取得手段と、前記取得手段により取得されたメディア管理情報に関連したファイル管理情報を有する画像ファイルを前記記憶手段から検索する検索手段と、前記検索手段により検索された画像ファイルの情報を表示部に表示する表示制御手段とを備えたことを特徴とする。
【００１５】
本発明の第７側面に係るプログラムは、コンピュータを、複数の画像ファイルを第１の記録媒体に対して記録する記録手段、前記第１の記録媒体に記録された複数の画像ファイルを複数のグループに分類して管理する管理手段、前記複数のグループのうちの何れかのグループを第２の記録媒体のグループとして付加する付加手段、前記複数のグループのうち、前記第２の記録媒体のグループに対応するグループを決定する決定手段、前記記録媒体に記録された複数の画像ファイルより、前記決定手段により決定されたグループに分類されている画像ファイルを検索する検索手段、前記検索手段により検索された画像ファイルの情報を表示部に表示する表示制御手段、前記第２の記録媒体に情報データを記録する記録装置に対し、前記第１の記録媒体に記録された複数の画像ファイルのうち選択された画像ファイルを前記第２の記録媒体に記録すべく転送する転送手段として機能させることを特徴とする。
【００１６】
本発明の第８側面に係るプログラムは、コンピュータを、複数の画像ファイルを第１の記録媒体に記録する記録手段、第２の記録媒体の空き容量を検出する検出手段、前記第１の記録媒体に記録された画像ファイルのうち、前記検出手段により検出された空き容量以下のデータサイズを有する画像ファイルを検索する検索手段、前記検索手段により検索された画像ファイルの情報を表示部に表示する表示制御手段、前記第２の記録媒体に情報データを記録する記録装置に対し、前記第１の記録媒体に記録された複数の画像ファイルより選択された画像ファイルを前記第２の記録媒体に記録すべく転送する転送手段として機能させることを特徴とする。
【００１７】
本発明の第９側面に係るプログラムは、コンピュータを、複数の画像ファイルを記憶する記憶手段、外部記録装置に装着された外部記録媒体に記録されたメディア管理情報を、前記外部記録装置から取得する取得手段、前記取得手段により取得されたメディア管理情報に関連したファイル管理情報を有する画像ファイルを前記記憶手段から検索する検索手段、前記検索手段により検索された画像ファイルの情報を表示部に表示する表示制御手段として機能させることを特徴とする。
【００１８】
本発明の第１０側面に係るデータ転送システムは、データ転送装置と外部記録装置とが通信可能に接続されたデータ転送システムであって、前記データ転送装置は、本発明の第１側面から第３側面に係るデータ転送装置であることを特徴とする。
【発明の効果】
【００１９】
本発明によれば、外部記録媒体にデータ転送する際の作業負担を十分に軽減できる。
【発明を実施するための最良の形態】
【００２０】
本発明の第１実施形態に係るデータ転送システム１を、図１を用いて説明する。図１は、本発明の第１実施形態に係るデータ転送システム１の構成図である。
【００２１】
データ転送システム１は、内部記録媒体に記録した画像データを長期保存又はバックアップすることを目的としてデータ転送（例えば、ダビング、バックアップ）するためのシステムである。データ転送システム１は、ビデオカメラ（データ転送装置）１００、外部記録装置１２０及び通信ケーブル（通信媒体）Ｃ０を備える。
【００２２】
ビデオカメラ１００は、ハードディスク内蔵型のビデオカメラである。
【００２３】
外部記録装置１２０は、通信ケーブルＣ０を介してビデオカメラ１００に通信可能に接続される。外部記録装置１２０は、ビデオカメラ１００から受け取った情報（例えば、画像データ）を着脱可能な外部記録媒体（第２の記録媒体）Ｄ０に記録したり、装着された外部記録媒体Ｄ０に記録された情報をビデオカメラ１００に供給して再生させることができる。外部記録媒体Ｄ０は、例えば、ＤＶＤ＋／−Ｒ（単層又は二層型）及びＤＶＤ＋／−ＲＷなどのディスク型の高密度記録媒体や、フラッシュメモリカードなどのカード型の高密度記録媒体である。
【００２４】
通信ケーブルＣ０は、ビデオカメラ１００と外部記録装置１２０とを接続する。通信ケーブルＣ０は、例えばシリアル通信するためのシリアルケーブルであり、例えばＵＳＢ（Ｕｎｉｖｅｒｓａｌ  Ｓｅｒｉａｌ  Ｂｕｓ）ケーブルである。
【００２５】
次に、ビデオカメラ１００の構成及び動作を、図１を用いて説明する。
【００２６】
図１のビデオカメラ１００は、撮像部１０１、記録再生処理部（決定手段、検索手段）１０２、表示制御部（表示制御手段）１０３、表示部１０４、記録再生部（再生手段、管理手段、記録手段、付加手段）１０５及び制御部（制御手段）１０７を備える。ビデオカメラ１００は、操作部（選択手段）１０８及びバス１１０を備える。ビデオカメラ１００は、ハードディスクドライブ（第１の記録媒体、保持手段、記憶手段、以下、ＨＤＤとする）１０６及びデジタルインターフェース（取得手段、転送手段、以下、ＤＩＦとする）１０９を備える。
【００２７】
撮像部１０１、記録再生処理部１０２、表示制御部１０３、記録再生部１０５、制御部１０７及びＤＩＦ１０９は、バス１１０を介して互いに接続されている。表示部１０４は、表示制御部１０３に接続されている。ＨＤＤ１０６は、記録再生部１０５に接続されている。操作部１０８は、制御部１０７に接続されている。ＤＩＦ１０９は、通信ケーブルＣ０を介して外部記録装置１２０に接続されている。
【００２８】
次に、撮影時におけるビデオカメラ１００の動作を説明する。
【００２９】
操作部１０８には、ユーザーにより、撮影開始の指示が入力される。操作部１０８は、撮影開始の指示を制御部１０７に供給する。制御部１０７は、撮影開始の指示に基づき、バス１１０を介して、各部に対して制御信号を出力する。これにより、以下のように、各部において撮影処理が開始される。
【００３０】
撮像部１０１は、被写体（図示せず）の画像を撮影して画像信号を生成し、その画像信号を画像データ（動画像データ）に変換する。撮像部１０１は、その画像データをバス１１０経由で記録再生処理部１０２に出力する。記録再生処理部１０２は、周知のＭＰＥＧ方式などの符号化方式に従って画像データを符号化し、符号化した画像データをバス１１０経由で記録再生部１０５に送る。記録再生部１０５は、符号化された画像データをＨＤＤ１０６に記録する。
【００３１】
また、撮像部１０１は、画像データをバス１１０経由で表示制御部１０３に供給する。表示制御部１０３は、画像データに対応する画像を表示部１０４に表示する。ここで、表示部１０４は、ビューファインダーとして機能している。
【００３２】
そして、操作部１０８には、ユーザーにより、撮影停止の指示が入力される。操作部１０８は、撮影停止の指示を制御部１０７に供給する。制御部１０７は、撮影停止の指示に基づき、バス１１０を介して、各部に対して制御信号を出力する。これにより、以下のように、各部において撮影処理が停止される。
【００３３】
記録再生処理部１０２は、画像データを符号化するとともに、ファイルの終わりを示す情報（以下、ＥＯＦとする）を生成する。記録再生処理部１０２は、符号化された画像データにＥＯＦを付加して記録再生部１０５へ供給する。記録再生部１０５は、撮影処理が開始されてからＥＯＦを受け取るまでＨＤＤ１０６に記録され続けた画像データを１つのファイルとして閉じて、その画像ファイルをＨＤＤ１０６に記録する。すなわち、画像ファイルは、画像データの集まりである。また、記録再生部１０５は、その画像ファイルをＨＤＤ１０６に記録したことに応じて、ファイル管理情報を更新する。ファイル管理情報は、画像ファイルの識別情報、画像ファイルのデータ容量に関する情報（データ容量情報）及び画像ファイルの記憶アドレスに関する情報を含む。記録再生部１０５は、ファイル管理情報に基づいて、ＨＤＤ１０６への情報の書き込み及び読み出しを制御する。
【００３４】
また、記録再生部１０５は、その画像ファイルをバス１１０経由で記録再生処理部１０２へ供給する。記録再生処理部１０２は、画像ファイルの代表画像データ（サムネイル画像データ、静止画データ）を抽出生成する。記録再生処理部１０２は、画像ファイルの代表画像データを記録再生部１０５に供給する。記録再生部１０５は、画像ファイルの代表画像データをその画像ファイルと関連付けてＨＤＤ１０６に記録する。
【００３５】
次に、再生時におけるビデオカメラ１００の動作を説明する。
【００３６】
操作部１０８には、ユーザーにより、再生リスト表示の指示が入力される。操作部１０８は、再生リスト表示の指示を制御部１０７に供給する。制御部１０７は、再生リスト表示の指示に基づき、バス１１０を介して、各部に対して制御信号を出力する。これにより、以下のように、各部において再生リスト表示処理が開始される。
【００３７】
記録再生部１０５は、ＨＤＤ１０６に記録された画像ファイルの代表画像データを再生し表示制御部１０３に送る。表示制御部１０３は、これらの代表画像データの一覧画面データを生成し、一覧画面データに対応した一覧画面を表示部１０４に表示する。ここで、一覧画面は、各画像ファイルに１対１に対応した代表画像を含んでおり、画像ファイルの再生リストとして機能している。
【００３８】
そして、操作部１０８には、ユーザーにより、表示部１０４に表示された代表画像の中から、所望の代表画像を選択するための代表画像選択指示が入力される。操作部１０８は、代表画像選択指示を制御部１０７に供給する。制御部１０７は、代表画像選択指示に基づき、バス１１０を介して、各部に対して制御信号を出力する。これにより、以下のように、各部において代表画像選択処理が停止される。
【００３９】
記録再生部１０５は、選択された代表画像に関連付けられた画像ファイルをＨＤＤ１０６から読み出し、代表画像に対応した画像ファイルを再生する。記録再生部１０５は、再生した画像ファイルを記録再生処理部１０２に送る。記録再生処理部１０２は、再生された画像ファイルを復号し、復号した画像ファイルを表示制御部１０３に送る。表示制御部１０３は、復号された画像ファイルに対応した画像（動画像）を表示部１０４に表示する。
【００４０】
ここで、操作部１０８は、ユーザーから、記録する画像ファイル毎にタイトルを付加するための指示を受け付けることができる。
【００４１】
例えば、操作部１０８には、ユーザーにより、タイトル要求指示が入力される。操作部１０８は、タイトル要求指示を制御部１０７に供給する。制御部１０７は、タイトル要求指示に基づき、バス１１０を介して、表示制御部１０３を制御する。これにより、表示制御部１０３は、選択された画像ファイルに対するシーンタイトルを入力するためのシーンタイトル入力用画面を表示部１０４に表示する。
【００４２】
そして、操作部１０８には、ユーザーにより、表示部１０４に表示されたシーンタイトル入力用画面を介して、シーンタイトル指定指示が入力される。シーンタイトル指定指示は、シーンタイトル（グループ識別情報）を指定する情報である。
【００４３】
ここで、シーンタイトルは、複数の画像ファイルに関して共通のタイトルであり、複数の画像ファイルをまとめるための包括的な概念を示すタイトルである。すなわち、シーンタイトルは、ＨＤＤ１０６に記録された複数のファイルにおける少なくとも２つのファイルを含むグループを識別するための情報である。シーンタイトルは、例えば、図３に示す「旅行」、「スポーツ」、「太郎成長記録」などである。シーンタイトルにより、記録再生部１０５は、ＨＤＤ１０６に記録された複数の画像ファイルをグループに分類して管理することができる。
【００４４】
なお、画像ファイルが複数のシーン（フレーム）の画像データの集まりであり、シーンタイトルは、画像ファイルを代表するシーンの画像（代表画像）に対するタイトルという意味で用いられている。すなわち、画像ファイルとシーンタイトルとは１対１に対応する。これにより、シーンタイトルが示すグループに画像ファイルが属することが示されている。
【００４５】
操作部１０８は、タイトル指定指示を制御部１０７に供給する。制御部１０７は、シーンタイトル指定指示に基づき、バス１１０を介して、シーンタイトルの情報を記録再生部１０５へ供給する。記録再生部１０５は、シーンタイトルを代表画像データに関連付けることにより、そのシーンタイトルを画像ファイルに関連付けられた付加情報としてＨＤＤ１０６に記録（保持）する。
【００４６】
なお、シーンタイトルと画像ファイルとの対応付けのための付加情報は、ＨＤＤ１０６でなく、不図示の不揮発性メモリなどに保持しておくことも可能である。
【００４７】
次に、データ転送（例えば、ダビング、バックアップ）時におけるビデオカメラ１００の動作を説明する。
【００４８】
操作部１０８には、ユーザーにより、データ転送要求指示が入力される。操作部１０８は、データ転送要求指示を制御部１０７へ渡す。制御部１０７は、データ転送要求指示に基づき、バス１１０を介して、各部に対して制御信号を出力する。これにより、以下のように、各部において媒体検出処理が開始される。
【００４９】
ＤＩＦ１０９は、通信ケーブルＣ０を介して、媒体情報を外部記録装置１２０から受信する。媒体情報は、外部記録媒体Ｄ０の固有ＩＤ（媒体識別情報）、外部記録媒体Ｄ０の種類、外部記録媒体Ｄ０の記録可能容量（又は記録可能時間）及び外部記録媒体Ｄ０の記録可能フォーマットに関する情報を含む。ＤＩＦ１０９は、媒体情報を記録再生部１０５へ供給する。
【００５０】
そして、操作部１０８には、ユーザーにより、表示部１０４に表示された代表画像の中から、所望の代表画像を選択するための代表画像選択指示が入力される。ここで、代表画像選択指示は、データ転送する対象となる画像ファイルを選択するための指示もかねている。操作部１０８は、代表画像選択指示を制御部１０７に供給する。制御部１０７は、代表画像選択指示に基づき、バス１１０を介して、各部に対して制御信号を出力する。これにより、以下のように、各部においてデータ転送処理が開始される。
【００５１】
記録再生部１０５は、選択された代表画像に関連付けられた画像ファイルをＨＤＤ１０６から読み出し、その画像ファイルをＤＩＦ１０９へ供給する。ＤＩＦ１０９は、画像ファイルを通信ケーブルＣ０経由で外部記録装置１２０へ供給する。これにより、外部記録装置１２０は、画像ファイルを外部記録媒体Ｄ０へ記録する。
【００５２】
また、記録再生部１０５は、転送する画像ファイルに関連付けられたシーンタイトルに基づいて、媒体タイトル（グループ情報、メディア管理情報）を生成する。媒体タイトルは、外部記録媒体Ｄ０を代表する情報であり、例えば、図７に示す「太郎成長記録」などである。媒体タイトルは、シーンタイトルに関連するように決められる。媒体タイトルは、データ転送先の外部記録媒体Ｄ０ごとに決められる。記録再生部１０５は、媒体タイトルを外部記録媒体Ｄ０の固有ＩＤ及びシーンタイトルに対応付けてＨＤＤ１０６に記録（保持）する。
【００５３】
なお、シーンタイトルと固有ＩＤとの対応付けのための付加情報は、ＨＤＤ１０６でなく、不図示の不揮発性メモリなどに保持しておくことも可能である。
【００５４】
このように、外部記録媒体Ｄ０の固有ＩＤ及びシーンタイトルと媒体タイトルとが対応付けられている。これにより、途中までデータ転送された外部記録媒体Ｄ０が外部記録装置１２０に装着された場合でも、この外部記録媒体Ｄ０に対応する媒体タイトルを検出することができる。
【００５５】
また、ＨＤＤ１０６に記録された画像ファイルとシーンタイトルとが関連付けられている。これにより、ＨＤＤ１０６に記録された画像ファイルの中から、所望の画像ファイルを選択して外部記録媒体Ｄ０へデータ転送することが可能である。
【００５６】
次に、データ転送時におけるビデオカメラ１００の詳細動作を、図２〜図１０を用いて説明する。図２は、データ転送システム１がデータ転送する処理の流れを示すフローチャートである。図３〜図１０は、表示部１０４に表示される画面の例を示す図である。
【００５７】
ステップＳ３−１では、ビデオカメラ１００の操作部１０８に、ユーザーにより、データ転送要求指示が入力される。操作部１０８は、データ転送要求指示を制御部１０７へ渡す。制御部１０７は、データ転送要求指示に基づき、バス１１０を介して、ＤＩＦ１０９を制御する（媒体検出処理を行う）。
【００５８】
ＤＩＦ１０９は、外部記録媒体Ｄ０を検出するための検出指令を通信ケーブルＣ０経由で外部記録装置１２０に送信する。
【００５９】
ＤＩＦ１０９は、検出指令の応答として、媒体情報を通信ケーブルＣ０経由で外部記録装置１２０から受信した場合、外部記録媒体Ｄ０の準備ができていると判断する。この場合、ＤＩＦ１０９は、処理をステップＳ３−３へ進める。ＤＩＦ１０９は、媒体情報を受信しなかった場合、外部記録媒体Ｄ０の準備ができていないと判断して、処理をステップＳ３−２へ進める。
【００６０】
ここで、媒体情報は、外部記録媒体Ｄ０の固有ＩＤ、外部記録媒体Ｄ０の種類、外部記録媒体Ｄ０の記録可能容量（又は記録可能時間）及び外部記録媒体Ｄ０の記録可能フォーマットに関する情報を含む。
【００６１】
ステップＳ３−２では、ＤＩＦ１０９が、外部記録媒体Ｄ０の準備ができていない旨の情報を制御部１０７へ供給する。制御部１０７は、外部記録媒体Ｄ０の準備ができていない旨の情報に基づき、表示制御部１０３を制御する。表示制御部１０３は、外部記録媒体Ｄ０の準備ができていないことを示す画面２０１（図３参照）を表示部１０４に表示する。画面２０１には、外部記録媒体Ｄ０の準備を促すメッセージ２０１ｇ、及びＨＤＤ１０６に記録された全ファイルの一覧表示などが表示される。
【００６２】
例えば、画面２０１には、代表画像２０１ａ、シーンタイトル２０１ｂ、ファイル名２０１ｃ、撮影日時２０１ｅ及び撮影時間２０１ｆが表示される。ここで、代表画像２０１ａは、画像ファイルにおける特定フレームの静止画（図示せず）である。シーンタイトル２０１ｂは、操作部１０８に入力されたシーンタイトル指定指示に従ったシーンタイトルであり、他の画像ファイルにおけるシーンタイトルと同じこともある。ファイル名２０１ｃは、画像ファイルを識別するための情報であり、ＨＤＤ１０６に記録された画像ファイルにおいて一意の情報である。撮影日時２０１ｅは、撮影部１０１が画像を撮影した際に、内部時計（図示せず）により取得された日時である。撮影時間２０１ｆは、画像ファイルのデータ容量（データサイズ）から換算された値である。
【００６３】
ステップＳ３−３では、ＤＩＦ１０９が、媒体情報を記録再生処理部１０２へ供給する。記録再生処理部１０２は、記録再生部１０５を介してＨＤＤ１０６にアクセスし、媒体情報に含まれる固有ＩＤ及びシーンタイトルに対応付けられた媒体タイトルがＨＤＤ１０６に記録されているか否かを判断する。記録再生処理部１０２は、媒体タイトルが記録されていると判断する場合、処理をステップＳ３−１０へ進め、媒体タイトルが記録されていないと判断する場合、処理をステップＳ３−４へ進める。
【００６４】
ステップＳ３−４では、記録再生処理部１０２が、媒体タイトルが記録されていない旨の情報を制御部１０７へ供給する。制御部１０７は、媒体タイトルが記録されていない旨の情報に基づき、表示制御部１０３を制御する。表示制御部１０３は、媒体タイトルが記録されていないことを示す画面２０２（図５参照）を表示部１０４に表示する。画面２０２には、ファイルの選択を促すメッセージ２０２ｇ、ＨＤＤ１０６に記録された全ファイルの一覧表示、媒体タイトルが記録されていないことを示す情報２０２ｊ、及び媒体情報２０２ｉなどが表示される。全ファイルの一覧表示には、図３の画面２０１と同様に、各ファイルに１対１に対応する代表画像２０２ａが含まれる。
【００６５】
ステップＳ３−５では、制御部１０７が、所望の代表画像を選択するための代表画像選択指示が操作部１０８に入力された場合（例えば、図５に示す代表画像２０２ａがクリックされた場合）、操作部１０８から代表画像選択指示を受け取る。代表画像選択指示は、画像ファイルを選択するための指示としても機能している。あるいは、制御部１０７は、データ転送を開始するためのデータ転送開始指示が操作部１０８に入力された場合（例えば、図５に示す「データ転送開始」ボタン２０２ｋがクリックされた場合）、操作部１０８からデータ転送開始指示を受け取る。
【００６６】
制御部１０７は、代表画像選択指示を受け取った場合、代表画像選択指示が選択されたと判断して、処理をステップＳ３−６へ進める。制御部１０７は、データ転送開始指示を受け取った場合、データ転送開始指示が選択されたと判断して、処理をステップＳ３−８へ進める。
【００６７】
ステップＳ３−６では、制御部１０７が、代表画像選択指示に基づき、表示制御部１０３を制御する。表示制御部１０３は、代表画像選択指示が与えられたことを示す画面２０３（図６参照）を表示部１０４に表示する。画面２０３には、データ転送開始を促すメッセージ２０３ｇ、ＨＤＤ１０６に記録された全ファイルの一覧表示、媒体タイトルが記録されていないことを示す情報２０３ｊ、及び媒体情報２０３ｉなどが表示される。全ファイルの一覧表示には、図３の画面２０１と同様に、各ファイルに１対１に対応する代表画像２０３ａが含まれる。代表画像選択指示が示す代表画像２０３ａは、例えば、強調表示されて、選択されたことが示される。
【００６８】
ステップＳ３−７では、制御部１０７が、代表画像選択指示を記録再生処理部１０２へ供給する。記録再生処理部１０２は、代表画像選択指示に基づき、記録再生部１０５を介してＨＤＤ１０６にアクセスする。記録再生処理部１０２は、ＨＤＤ１０６に転送ファイルリストが記録されていないと判断すれば転送ファイルリストを新たに作成し、ＨＤＤ１０６に転送ファイルリストが記録されていると判断すれば転送ファイルリストを開く。記録再生処理部１０２は、代表画像選択指示が示す代表画像に対応した画像ファイルを識別する情報（例えば、ファイル名）を転送ファイルリストに追加書き込みして、転送ファイルリストを更新する。
【００６９】
なお、ステップＳ３−５〜Ｓ３−７の処理は、操作部１０８に代表画像選択指示が入力される度に繰り返し実行される。
【００７０】
ステップＳ３−８では、制御部１０７が、データ転送開始指示に基づき、バス１１０を介して、記録再生部１０５を制御する。記録再生部１０５は、ＨＤＤ１０６の転送ファイルリストを参照して、選択された代表画像に関連付けられた画像ファイルをＨＤＤ１０６から順次読み出し、その画像ファイルをＤＩＦ１０９へ供給する。ＤＩＦ１０９は、画像ファイルを通信ケーブルＣ０経由で外部記録装置１２０へ供給する。これにより、外部記録装置１２０は、画像ファイルを外部記録媒体Ｄ０へ記録する。ＤＩＦ１０９は、転送した画像ファイルの記録完了を示す応答を通信ケーブルＣ０経由で外部記録装置１２０から受信した場合、画像ファイルの記録完了を示す応答を記録再生部１０５へ供給する。記録再生部１０５は、画像ファイルの記録完了を示す応答に応じて、その画像ファイルをＨＤＤ１０６上から削除する。
【００７１】
また、記録再生部１０５は、転送する画像ファイルに関連付けられたシーンタイトルに基づいて、媒体タイトルを生成する。媒体タイトルは、例えば、図７に示す「太郎成長記録」などである。媒体タイトルは、例えば、シーンタイトルがそのまま用いられてもよい。転送する複数の画像ファイルに異なるシーンタイトル「Ａ」及び「Ｂ」が存在する場合、媒体タイトルは、それらを合わせた「Ａ＋Ｂ」として決められてもよい。この場合、媒体タイトル「Ａ＋Ｂ」から検索キー「Ａ」又は「Ｂ」を容易に生成することができる。あるいは、媒体タイトルは、「Ａ」及び「Ｂ」の上位概念を示す「Ｃ」に決められてもよい。この場合、「Ｃ」が「Ａ」及び「Ｂ」の上位概念であることを示す情報（検索キーの対応情報）を例えばＨＤＤ１０６に記録しておけば、媒体タイトル「Ｃ」から検索キー「Ａ」又は「Ｂ」を生成することができる。媒体タイトルは、データ転送先の外部記録媒体Ｄ０ごとに決められる。記録再生部１０５は、媒体タイトルを外部記録媒体Ｄ０の固有ＩＤ（媒体識別情報）及びシーンタイトルに対応付けてＨＤＤ１０６に記録する。
【００７２】
さらに、制御部１０７は、データ転送開始指示に基づき、表示制御部１０３を制御する。表示制御部１０３は、データ転送開始指示を示す画面２０４（図７参照）を表示部１０４に表示する。画面２０４には、データ転送処理の経過を示すメッセージ２０４ｇ、ＨＤＤ１０６に記録された全ファイルの一覧表示、媒体タイトルを示す情報２０４ｊ、媒体情報２０４ｉ及び「データ転送開始」ボタン２０４ｋなどが表示される。「データ転送開始」ボタン２０４ｋは、例えば、強調表示されて、選択された（押された）ことが示される。
【００７３】
ステップＳ３−９では、ＤＩＦ１０９が、転送した画像ファイルの記録完了を示す応答と転送ファイルリストとを照合して、転送すべき全ての画像ファイルの記録完了を示す応答を通信ケーブルＣ０経由で外部記録装置１２０から受信したか否かを判断する。ＤＩＦ１０９が、転送すべき全ての画像ファイルの記録完了を示す応答を通信ケーブルＣ０経由で外部記録装置１２０から受信した場合、データ転送が完了したと判断する。この場合、ＤＩＦ１０９は、処理を終了する。ＤＩＦ１０９は、転送すべき全ての画像ファイルの記録完了を示す応答を受信していない場合、データ転送が完了していないと判断して、処理をステップＳ３−９へ進める。
【００７４】
ステップＳ３−１０では、記録再生処理部１０２が、媒体情報に基づいて、外部記録装置１２０に装着された外部記録媒体Ｄ０が追記可能な状態であるか否かを判断する。すなわち、記録再生処理部１０２は、媒体情報に基づいて、外部記録媒体Ｄ０の記録可能容量（空き容量又は残容量）を特定し、外部記録媒体Ｄ０の記録可能容量と例えば平均的な画像ファイルのデータ容量とを比較する。記録再生処理部１０２は、外部記録媒体Ｄ０の記録可能容量が平均的な画像ファイルのデータ容量より大きければ追記可能であると判断し、外部記録媒体Ｄ０の記録可能容量が平均的な画像ファイルのデータ容量より小さければ追記不可能であると判断する。
【００７５】
なお、平均的な画像ファイルのデータ容量は、例えばデフォルトで設定された値であってもよいし、ＨＤＤ１０６に記録された画像ファイルのデータ容量を平均して求めたものであってもよい。また、記録再生処理部１０２は、外部記録媒体Ｄ０の記録可能容量とＨＤＤ１０６に記録された画像ファイルの最小データ容量とを比較して、外部記録媒体Ｄ０が追記可能な状態であるか否かを判断してもよい。記録再生処理部１０２は、外部記録媒体Ｄ０の記録可能容量とＨＤＤ１０６に記録された画像ファイルの最大データ容量とを比較して、外部記録媒体Ｄ０が追記可能な状態であるか否かを判断してもよい。
【００７６】
記録再生処理部１０２は、追記可能であると判断する場合、処理をステップＳ３−１２へ進め、追記不可能であると判断する場合、処理をステップＳ３−１１へ進める。
【００７７】
ステップＳ３−１１では、記録再生処理部１０２が、追記不可能である旨の情報を制御部１０７へ供給する。制御部１０７は、追記不可能である旨の情報に基づき、表示制御部１０３を制御する。表示制御部１０３は、外部記録媒体Ｄ０が追記不可能であることを示す画面２０５（図４参照）を表示部１０４に表示する。画面２０５には、追記不可能であることを示すメッセージ２０５ｇ、及びＨＤＤ１０６に記録された全ファイルの一覧表示などが表示される。全ファイルの一覧表示には、図３の画面２０１と同様に、各ファイルに１対１に対応する代表画像２０５ａが含まれる。
【００７８】
ステップＳ３−１２では、記録再生処理部１０２が、記録再生部１０５を介してＨＤＤ１０６にアクセスし、媒体タイトルに関連したシーンタイトルに対応する画像ファイルを検索する。例えば、記録再生処理部１０２は、媒体タイトルに一致するシーンタイトルに対応する画像ファイルを検索する。あるいは、例えば、記録再生処理部１０２は、上記の検索キーの対応情報に基づいて、媒体タイトルから生成される検索キーに一致するシーンタイトルに対応する画像ファイルを検索する。
【００７９】
ステップＳ３−１３では、制御部１０７が、記録再生処理部１０２から検索結果の情報を受け取る。制御部１０７は、記録再生処理部１０２が検索した結果に基づき、表示制御部１０３を制御する。表示制御部１０３は、記録再生処理部１０２が検索した結果を示す画面２０６（図８参照）を表示部１０４に表示する。画面２０６には、ファイル選択を促すメッセージ２０６ｇ、記録再生処理部１０２が検索した結果抽出されたファイルの一覧表示、媒体タイトルを示す情報２０６ｊ、媒体情報２０６ｉ及び「データ転送開始」ボタン２０６ｋなどが表示される。
【００８０】
ステップＳ３−１４では、制御部１０７が、所望の代表画像を選択するための代表画像選択指示が操作部１０８に入力された場合（例えば、図８に示す代表画像２０６ａがクリックされた場合）、操作部１０８から代表画像選択指示を受け取る。代表画像選択指示は、画像ファイルを選択するための指示としても機能している。あるいは、制御部１０７は、データ転送を開始するためのデータ転送開始指示が操作部１０８に入力された場合（例えば、図８に示す「データ転送開始」ボタン２０６ｋがクリックされた場合）、操作部１０８からデータ転送開始指示を受け取る。
【００８１】
制御部１０７は、代表画像選択指示を受け取った場合、代表画像選択指示が選択されたと判断して、処理をステップＳ３−１５へ進める。制御部１０７は、データ転送開始指示を受け取った場合、データ転送開始指示が選択されたと判断して、処理をステップＳ３−１７へ進める。
【００８２】
ステップＳ３−１５では、制御部１０７が、代表画像選択指示に基づき、表示制御部１０３を制御する。表示制御部１０３は、代表画像選択指示を示す画面２０７（図９参照）を表示部１０４に表示する。画面２０７には、データ転送開始を促すメッセージ２０７ｇ、ＨＤＤ１０６に記録された全ファイルの一覧表示、媒体タイトルを示す情報２０７ｊ、及び媒体情報２０７ｉなどが表示される。全ファイルの一覧表示には、図３の画面２０１と同様に、各ファイルに１対１に対応する代表画像２０７ａが含まれる。代表画像選択指示が示す代表画像２０７ａは、例えば、強調表示されて、選択されたことが示される。
【００８３】
ステップＳ３−１６では、制御部１０７が、代表画像選択指示を記録再生処理部１０２へ供給する。記録再生処理部１０２は、代表画像選択指示に基づき、記録再生部１０５を介してＨＤＤ１０６にアクセスする。記録再生処理部１０２は、ＨＤＤ１０６に転送ファイルリストが記録されていないと判断すれば転送ファイルリストを新たに生成し、ＨＤＤ１０６に転送ファイルリストが記録されていると判断すればその転送ファイルリストを開く。記録再生処理部１０２は、代表画像選択指示が示す代表画像に対応した画像ファイルを識別する情報（例えば、ファイル名）を転送ファイルリストに追加書き込みする。
【００８４】
なお、ステップＳ３−１４〜Ｓ３−１６の処理は、操作部１０８に代表画像選択指示が入力される度に繰り返し実行される。
【００８５】
ステップＳ３−１７では、制御部１０７が、データ転送開始指示に基づき、バス１１０を介して、記録再生部１０５を制御する。記録再生部１０５は、ＨＤＤ１０６の転送ファイルリストを参照して、選択された画像ファイルをＨＤＤ１０６から順次読み出し、その画像ファイルをＤＩＦ１０９へ供給する。ＤＩＦ１０９は、画像ファイルを通信ケーブルＣ０経由で外部記録装置１２０へ供給する。これにより、外部記録装置１２０は、画像ファイルを外部記録媒体Ｄ０へ追加的に記録する。ＤＩＦ１０９は、転送した画像ファイルの記録完了を示す応答を通信ケーブルＣ０経由で外部記録装置１２０から受信した場合、画像ファイルの記録完了を示す応答を記録再生部１０５へ供給する。記録再生部１０５は、画像ファイルの記録完了を示す応答に応じて、その画像ファイルをＨＤＤ１０６上から削除する。
【００８６】
また、制御部１０７は、データ転送開始指示に基づき、表示制御部１０３を制御する。表示制御部１０３は、データ転送開始指示を示す画面２０８（図１０参照）を表示部１０４に表示する。画面２０８には、データ転送処理の経過を示すメッセージ２０８ｇ、ＨＤＤ１０６に記録された全ファイルの一覧表示、媒体タイトルを示す情報２０８ｊ、媒体情報２０８ｉ及び「データ転送開始」ボタン２０８ｋなどが表示される。「データ転送開始」ボタン２０８ｋは、例えば、強調表示されて、選択された（押された）ことが示される。
【００８７】
以上のように、各画像ファイルを代表するシーンタイトル（グループ識別情報）は、複数の画像ファイルに関して共通のタイトルであり、複数の画像ファイルをまとめるための包括的な概念を示すタイトルである。そして、このシーンタイトルが各画像ファイルに関連付けられてＨＤＤ１０６に記録されている。これにより、内容的に関連性が深い画像ファイルを検索する際に、データ転送前のファイル検索の手間を十分に軽減することができる。
【００８８】
また、記録再生部１０５は、外部記録媒体を代表する媒体タイトルを、データ転送する画像ファイルのシーンタイトルに関連するように決める。この媒体タイトルが外部記録媒体Ｄ０の固有ＩＤ（媒体識別情報）及びシーンタイトルと対応付けられてＨＤＤ１０６に記録される。これにより、内容的に関連性が深い画像ファイルをまとめて外部記録媒体Ｄ０へデータ転送するように促すことができ、データ転送後のファイル整理の手間を十分に軽減することができる。
【００８９】
さらに、記録再生部１０５は、外部記録媒体へ転送される画像ファイルを代表するシーンタイトルに内容的に関連しており名称の異なるものが混在している場合でも、異なるシーンタイトルの上位概念を表すように媒体タイトルを決めることができる。これにより、外部記録媒体に記録された複数の画像ファイルの関連性を容易に把握することができ、データ転送後のファイル整理の手間を十分に軽減することができる。
【００９０】
また、外部記録媒体Ｄ０の固有ＩＤと媒体タイトルとが対応付けられてＨＤＤ１０６に記録されている。これにより、途中までデータ転送された外部記録媒体Ｄ０が外部記録装置１２０に装着された場合でも、この外部記録媒体Ｄ０に対応する媒体タイトルを検出することができる。そして、その媒体タイトルに基づいて、既に外部記録媒体Ｄ０に記録されている画像ファイルに関連が深い画像ファイルを、ＨＤＤ１０６において検索することができる。これにより、（再度の）データ転送前のファイル検索の手間を十分に軽減することができる。
【００９１】
このように、外部記録媒体にデータ転送する際の作業負担を十分に軽減できる。
【００９２】
なお、外部記録媒体は、ランダムアクセス可能な上述以外の記録媒体でもよい。
【００９３】
また、本実施形態では、ビデオカメラに内蔵されたＨＤＤに記録した画像ファイルを外部記録媒体に転送、記録する場合について説明したが、内蔵ＨＤＤ以外の記録媒体を用いる場合にも適用可能である。
【００９４】
即ち、内蔵ＨＤＤでなく、ブルーレイディスク等の大容量光ディスクに代表されるリムーバブルな記録媒体に対して記録したデータを他の記録媒体に転送、記録する構成においても、本発明を同様に適用可能である。
【００９５】
また、外部記録媒体Ｄ０の固有ＩＤと媒体タイトルとを対応づけてＨＤＤ１０６に記録していたが、外部記録媒体Ｄ０に画像ファイルをダビングする際、媒体タイトル情報も共に転送し、外部記録媒体Ｄ０に記録してもよい。
【００９６】
そして、次に外部記録媒体Ｄ０に画像ファイルを転送する際、この外部記録媒体Ｄ０に記録された媒体タイトルの情報を外部記録装置から受信し、外部記録媒体Ｄ０の媒体タイトルを取得してもよい。
【００９７】
本発明の第２実施形態に係るデータ転送システム１ａを、図１１〜図１３を用いて説明する。図１１は、第２実施形態に係るデータ転送システム１ａの構成図である。図１２は、データ転送システム１ａがデータ転送する処理の流れを示すフローチャートである。図１３は、表示部１０４に表示される画面の例を示す図である。
【００９８】
データ転送システム１ａは、基本的な構成は第１実施形態と同様であるが、ビデオカメラ１００ａを備える点で第１実施形態と異なる。ビデオカメラ１００ａは、表示制御部１０３ａ、記録再生部１０５ａ及び制御部１０７ａを備える点で第１実施形態と異なる。
【００９９】
制御部１０７ａは、表示制御部１０３ａを制御する。表示制御部１０３ａは、図８に示す画面２０６の代わりに図１３に示す画面５０６を表示部１０４に表示する。
【０１００】
第１の実施形態では、外部記録媒体に転送済みの画像ファイルをＨＤＤ１０６から消去していたが、記録再生部１０５ａは、データ転送が完了した画像ファイルをＨＤＤ１０６上から削除しない。
【０１０１】
また、データ転送システム１ａがデータ転送する処理の流れが、図１２に示すように、次の点で第１実施形態と異なる。
【０１０２】
ステップＳ６−８では、記録再生部１０５ａが、画像ファイルの記録完了を示す応答を受け取っても、その画像ファイルをＨＤＤ１０６上から削除しない。そして、転送済みの画像ファイルに対し、転送済み出あることを示す情報を付加して記録する。他の点は、図２に示すステップＳ３−８と同様である。
【０１０３】
ステップＳ６−１３では、制御部１０７ａが、記録再生処理部１０２から検索結果の情報を受け取る。制御部１０７ａは、記録再生処理部１０２が検索した結果に基づき、表示制御部１０３ａを制御する。表示制御部１０３ａは、記録再生処理部１０２が検索した結果を示す画面５０６（図１３参照）を表示部１０４に表示する。画面５０６は、各画像ファイルごとにデータ転送済みか否かを示す情報５０６ｎが識別可能に表示される点で図８に示す画面２０６と異なる。
【０１０４】
これにより、データ転送済の画像ファイルとデータ転送済でない画像ファイルとを容易に区別することができる。
【０１０５】
ステップＳ６−１７では、記録再生部１０５ａが、画像ファイルの記録完了を示す応答を受け取っても、その画像ファイルをＨＤＤ１０６上から削除しない。他の点は、図２に示すステップＳ３−１７と同様である。
【０１０６】
本発明の第３実施形態に係るデータ転送システム１ｂを、図１４〜図２０を用いて説明する。図１４は、第３実施形態に係るデータ転送システム１ｂの構成図である。図１５は、データ転送システム１ｂがデータ転送する処理の流れを示すフローチャートである。図１６〜図２０は、表示部１０４に表示される画面の例を示す図である。
【０１０７】
データ転送システム１ｂは、基本的な構成は第１実施形態と同様であるが、ビデオカメラ１００ｂを備える点で第１実施形態と異なる。ビデオカメラ１００ｂは、記録再生処理部（更新手段、特定手段）１０２ｂ、表示制御部１０３ｂ、記録再生部１０５ｂ及び制御部１０７ｂを備える点で第１実施形態と異なる。
【０１０８】
また、データ転送システム１ｂがデータ転送する処理の流れが、図１５に示すように、次の点で第１実施形態と異なる。
【０１０９】
ステップＳ９−３では、記録再生処理部１０２ｂが、媒体情報に基づいて、外部記録装置１２０に装着された外部記録媒体Ｄ０が追記可能な状態であるか否かを判断する。すなわち、記録再生処理部１０２ｂは、媒体情報に基づいて、外部記録媒体Ｄ０の記録可能容量（空き容量又は残容量）を示す情報（記録可能容量情報、メディア管理情報）を特定する。記録再生処理部１０２ｂは、外部記録媒体Ｄ０の記録可能容量と例えば平均的な画像ファイルのデータ容量とを比較して、外部記録媒体Ｄ０へ追記可能であるか否かを判断する。記録再生処理部１０２ｂは、外部記録媒体Ｄ０の記録可能容量が平均的な画像ファイルのデータ容量より大きければ追記可能であると判断し、外部記録媒体Ｄ０の記録可能容量が平均的な画像ファイルのデータ容量より小さければ追記不可能であると判断する。
【０１１０】
記録再生処理部１０２ｂは、追記可能であると判断する場合、処理をステップＳ９−５へ進め、追記不可能であると判断する場合、処理をステップＳ９−４へ進める。
【０１１１】
ステップＳ９−４では、記録再生処理部１０２ｂが、追記不可能である旨の情報を制御部１０７ｂへ供給する。制御部１０７ｂは、追記不可能である旨の情報に基づき、表示制御部１０３ｂを制御する。表示制御部１０３ｂは、外部記録媒体Ｄ０が追記不可能であることを示す画面８０５（図１６参照）を表示部１０４に表示する。画面８０５には、追記不可能であることを示すメッセージ８０５ｇ、及びＨＤＤ１０６に記録された全ファイルの一覧表示などが表示される。全ファイルの一覧表示には、図３の画面２０１と同様に、各ファイルに１対１に対応する代表画像８０５ａが含まれる。
【０１１２】
ステップＳ９−５では、記録再生処理部１０２ｂが、記録再生部１０５ｂを介してＨＤＤ１０６にアクセスし、ＨＤＤ１０６に記録されたファイル管理情報を取得する。ファイル管理情報は、画像ファイルの識別情報、画像ファイルのデータ容量及び画像ファイルの記憶アドレスを含む。記録再生処理部１０２は、ファイル管理情報に基づき、各画像ファイルのデータ容量を特定する。
【０１１３】
ステップＳ９−６では、記録再生処理部１０２ｂが、データ容量情報と、特定した記録可能容量情報とに基づいて、ＨＤＤ１０６に記録された複数のファイルの中から外部記録媒体Ｄ０に記録可能なファイルを検索する。すなわち、記録再生処理部１０２ｂは、外部記録媒体Ｄ０の記録可能容量（残容量）と各画像ファイルのデータ容量とを比較して、容量オーバーの画像ファイルを検索する。記録再生処理部１０２ｂは、画像ファイルのデータ容量が外部記録媒体Ｄ０の記録可能容量を超える場合、その画像ファイルを「容量オーバー」であると特定する。記録再生処理部１０２ｂは、画像ファイルのデータ容量が外部記録媒体Ｄ０の記録可能容量以下である場合、その画像ファイルを「容量オーバー」でないと特定する。
【０１１４】
ステップＳ９−７では、制御部１０７ｂが、記録再生処理部１０２ｂから検索結果の情報を受け取る。制御部１０７ｂは、記録再生処理部１０２ｂが検索した結果に基づき、表示制御部１０３ｂを制御する。表示制御部１０３ｂは、記録再生処理部１０２ｂが検索した結果を示す画面８０６（図１７参照）を表示部１０４に表示する。画面８０６は、画像ファイルごとに容量オーバーか否かを示す情報８０６ｏが表示される点で図８に示す画面２０６と異なる。また、容量オーバーしている画像ファイルを示す代表画像と、容量オーバーでない画像ファイルを示す代表画像とが、異なる色で表示されている。
【０１１５】
これにより、容量オーバーしている画像ファイルと容量オーバーでない画像ファイルとを容易に区別することができる。
【０１１６】
ステップＳ９−９では、制御部１０７ｂが、代表画像選択指示に基づき、表示制御部１０３ｂを制御する。
【０１１７】
なお、本実施形態では、表示画面８０６において、容量オーバーであると判断した画像ファイルを選択できないようにした。
【０１１８】
表示制御部１０３ｂは、代表画像選択指示を示す画面８０３（図１８参照）を表示部１０４に表示する。画面８０３には、データ転送開始を促すメッセージ８０３ｇ、ＨＤＤ１０６に記録された全ファイルの一覧表示、媒体情報８０３ｉ、及び「データ転送開始」ボタン８０３ｋなどが表示される。全ファイルの一覧表示には、図３の画面２０１と同様に、各ファイルに１対１に対応する代表画像８０３ａが含まれる。代表画像選択指示が示す代表画像８０３ａは、例えば、強調表示されて、選択されたことが示される。
【０１１９】
ステップＳ９−１０では、制御部１０７が、代表画像選択指示を記録再生処理部１０２へ供給する。記録再生処理部１０２は、代表画像選択指示に基づき、記録再生部１０５を介してＨＤＤ１０６にアクセスする。記録再生処理部１０２は、ＨＤＤ１０６に転送ファイルリストが記録されていないと判断すれば転送ファイルリストを新たに作成し、ＨＤＤ１０６に転送ファイルリストが記録されていると判断すれば転送ファイルリストを開く。記録再生処理部１０２は、代表画像選択指示が示す代表画像に対応した画像ファイルを識別する情報（例えば、ファイル名）を転送ファイルリストに追加書き込みして、転送ファイルリストを更新する。
【０１２０】
ステップＳ９−１１では、記録再生処理部１０２ｂが、記録再生部１０５ｂを介してＨＤＤ１０６にアクセスし、ＨＤＤ１０６に記録されたファイル管理情報を取得する。記録再生処理部１０２は、ファイル管理情報に基づき、各画像ファイルのデータ容量を特定する。
【０１２１】
また、記録再生処理部１０２ｂは、ステップＳ９−１０で転送ファイルリストに追加書き込みした画像ファイルのデータ容量を外部記録媒体Ｄ０の記録可能容量（残容量）から引いてを、外部記録媒体Ｄ０の記録可能容量（残容量）を更新する。
【０１２２】
ステップＳ９−１２では、記録再生処理部１０２ｂが、新たに特定された外部記録媒体Ｄ０の記録可能容量（残容量）と、各画像ファイルのデータ容量とを比較して、容量オーバーの画像ファイルを検索する。すなわち、記録再生処理部１０２ｂは、画像ファイルのデータ容量が外部記録媒体Ｄ０の記録可能容量を超える場合、その画像ファイルを「容量オーバー」であると特定する。記録再生処理部１０２ｂは、画像ファイルのデータ容量が外部記録媒体Ｄ０の記録可能容量以下である場合、その画像ファイルを「容量オーバー」でないと特定する。
【０１２３】
表示制御部１０３ｂは、ステップＳ９−１２で検索した結果を記録再生処理部１０２ｂから受け取る。表示制御部１０３ｂは、記録再生処理部１０２ｂの検索結果に基づき、代表画像選択指示を示す画面８０３（図１８参照）が更新された画面８０９（図１９参照）を表示部１０４に表示する。例えば、画面８０９には、容量オーバーか否かを示す情報８０９ｏが更新されて表示される。
【０１２４】
以上のように、容量オーバーしている画像ファイルと容量オーバーでない画像ファイルとを容易に区別することができるので、容量オーバーでない画像ファイルを選択する際の負担を軽減することができる。これにより、データ転送前のファイル検索の手間を十分に軽減することができる。
【０１２５】
このように、外部記録媒体にデータ転送する際の作業負担を十分に軽減できる。
【０１２６】
他の実施形態として、データ転送システムにおいて、ビデオカメラが、ＨＤＤ以外にＤＶＤドライブを内蔵していてもよい。そして、ビデオカメラの内部において、ＨＤＤに記録された画像ファイルをＤＶＤにデータ転送する場合でも、本発明の考え方を適用可能である。
【０１２７】
また、記録再生部により決定され媒体情報と関連付けられた媒体タイトルは、ＨＤＤ１０６及び外部記録媒体Ｄ０の少なくとも一方に記録されていてもよい。
【０１２８】
また、データ転送システムは、ビデオカメラの代わりに、テレビ放送を受信してＨＤＤなどに記録するＨＤＤレコーダなどを備えてもよい。このとき、公知の電子番組ガイド（ＥＰＧ）を利用して記録した番組のタイトルを検出し、画像ファイルに付加して記録することも可能である。この様にすることで、ユーザーはタイトルを入力することなく、データ転送時の媒体タイトルを付加することができる。
【０１２９】
また、データ転送システムでは、ビデオカメラが、シーンタイトルや空き容量以外のデータ転送に関連した情報（メディア管理情報）を取得してもよい。この場合でも、メディア管理情報に関連した画像ファイルを検索することにより、データ転送において関連性の深い画像ファイルをまとめて外部記録媒体に転送できる。これにより、外部記録媒体にデータ転送する際の作業負担を十分に軽減できる。
【０１３０】
なお、本発明は、複数の機器（例えばホストコンピュータ、インタフェイス機器、リーダ、プリンタなど）から構成されるシステムに適用しても、一つの機器からなる装置（例えば、複写機、ファクシミリ装置など）に適用してもよい。
【０１３１】
また、前述した実施形態の機能を実現するソフトウェアのプログラムコードを記録した記憶媒体を、システムあるいは装置に供給する。そして、そのシステムあるいは装置のコンピュータ（またはＣＰＵやＭＰＵ）が記憶媒体に格納されたプログラムコードを読出し実行することによっても、本発明の目的は、達成されることは言うまでもない。
【０１３２】
この場合、記憶媒体から読出されたプログラムコード自体が前述した実施形態の機能を実現することになり、そのプログラムコードを記憶した記憶媒体は本発明を構成することになる。
【０１３３】
プログラムコードを供給するための記憶媒体としては、例えば、フロッピ（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【０１３４】
また、コンピュータが読出したプログラムコードを実行することにより、前述した実施形態の機能が実現される。また、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【０１３５】
さらに、記憶媒体から読出されたプログラムコードが、コンピュータに挿入された機能拡張ボードやコンピュータに接続された機能拡張ユニットに備わるメモリに書込まれる。その後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【図面の簡単な説明】
【０１３６】
【図１】本発明の第１実施形態に係るデータ転送システムの構成図。
【図２】データ転送システムがデータ転送する処理の流れを示すフローチャート。
【図３】表示部に表示される画面の例を示す図。
【図４】表示部に表示される画面の例を示す図。
【図５】表示部に表示される画面の例を示す図。
【図６】表示部に表示される画面の例を示す図。
【図７】表示部に表示される画面の例を示す図。
【図８】表示部に表示される画面の例を示す図。
【図９】表示部に表示される画面の例を示す図。
【図１０】表示部に表示される画面の例を示す図。
【図１１】第２実施形態に係るデータ転送システムの構成図。
【図１２】データ転送システムがデータ転送する処理の流れを示すフローチャート。
【図１３】表示部に表示される画面の例を示す図。
【図１４】第３実施形態に係るデータ転送システムの構成図。
【図１５】データ転送システムがデータ転送する処理の流れを示すフローチャート。
【図１６】表示部に表示される画面の例を示す図。
【図１７】表示部に表示される画面の例を示す図。
【図１８】表示部に表示される画面の例を示す図。
【図１９】表示部に表示される画面の例を示す図。
【符号の説明】
【０１３７】
１，１ａ，１ｂ  データ転送システム
１００，１００ａ，１００ｂ  ビデオカメラ
１２０  外部記録装置
Ｃ０  通信ケーブル
Ｄ０  外部記録媒体
【図１】
2008148073.tif 000003
【図２】
2008148073.tif 000004
【図３】
2008148073.tif 000005
【図４】
2008148073.tif 000006
【図５】
2008148073.tif 000007
【図６】
2008148073.tif 000008
【図７】
2008148073.tif 000009
【図８】
2008148073.tif 000010
【図９】
2008148073.tif 000011
【図１０】
2008148073.tif 000012
【図１１】
2008148073.tif 000013
【図１２】
2008148073.tif 000014
【図１３】
2008148073.tif 000015
【図１４】
2008148073.tif 000016
【図１５】
2008148073.tif 000017
【図１６】
2008148073.tif 000018
【図１７】
2008148073.tif 000019
【図１８】
2008148073.tif 000020
【図１９】
2008148073.tif 000021